(57)【要約】【課題】  移動通信網における位置登録および着信に関するトラフィックの無駄を省くこと。【解決手段】  移動通信網３０は、通信サービスエリアを複数のロケーションエリアに区分する区分パターンを１個あたりのロケーションエリアの大きさに応じて複数種類記憶している。移動通信網３０は、区分パターンの各々について、複数のロケーションエリアと複数の交換機との対応関係を示したデータを携帯電話機９０に送信する。携帯電話機９０は、基地局から受信した制御信号に含まれる交換機ＩＤに基づいて、当該携帯電話機９０に対して予め設定された当該携帯電話機９０の移動機特性に応じた区分パターンのロケーションエリアＩＤを選択し、このロケーションエリアＩＤを用いて位置登録処理を行う。【選択図】      図１
2005269682.tif 000002
【特許請求の範囲】
【請求項１】
複数の交換機を有する移動通信網の通信サービスエリアを区分して得られる複数のロケーションエリア間を前記移動通信網に収容される通信端末が跨いで移動した場合に、当該通信端末が位置登録要求信号を前記移動通信網へ送信する位置登録処理を制御する方法であって、
ロケーションエリアの大きさが異なる複数の区分パターンの各々について、前記複数のロケーションエリアと前記複数の交換機との対応関係を示したデータを前記移動通信網が前記通信端末へ通知する第１の過程と、
前記通信端末が前記第１の過程にて通知されたデータを記憶する第２の過程と、
前記移動通信網が前記通信端末を配下に有する交換機を示す情報を当該通信端末へ通知する第３の過程と、
前記通信端末が前記第３の過程にて通知された情報と当該通信端末の利用形態に基づいて定まる区分パターンとに基づいて前記データを参照し、当該通信端末の在圏するロケーションエリアを特定する第４の過程と、
前記通信端末が、前記第４の過程にて特定されたロケーションエリアに基づいて当該通信端末がロケーションエリアを跨いで移動したか否かを判定し、ロケーションエリアを跨いで移動した場合には前記位置登録要求信号を前記移動通信網へ送信する第５の過程と
を有することを特徴とする位置登録制御方法。
【請求項２】
前記第１の過程に先行する過程であって、前記通信端末の利用者と前記移動通信網の事業者との間で定められた利用形態を前記通信端末が自端末の利用形態として把握する過程
を更に有することを特徴とする請求項１に記載の位置登録制御方法。
【請求項３】
前記第３の過程と前記第４の過程の間に、
前記通信端末が、前記第３の過程において送信された交換機を示す情報の受信に応じて、現在の時刻を取得する第５の過程と、
前記通信端末が、当該通信端末に対して時間帯毎に定められた複数の利用形態のうち、前記第５の過程にて取得された時刻に対応する利用形態を選択する第６の過程とを有し、
前記第４の過程では、前記通信端末が前記第２の過程にて通知されたデータに示されるロケーションエリアのうち、前記第３の過程にて受信した交換機を示す情報と前記第６の過程にて選択された利用形態とに基づいて、当該通信端末がロケーションエリアを跨いで移動したか否かの判定に用いるロケーションエリアを特定する
ことを特徴とする請求項１または２に請求項に記載の位置登録制御方法。
【請求項４】
複数の交換機を有する移動通信網の通信サービスエリアを区分して得られる複数のロケーションエリア間を前記移動通信網に収容される通信端末が跨いで移動した場合に、当該通信端末が位置登録要求信号を前記移動通信網へ送信する位置登録処理を制御する方法であって、
ロケーションエリアの大きさが異なる複数の区分パターンのうち、通信端末の利用形態に基づいて定まる区分パターンについての前記複数のロケーションエリアと前記複数の交換機との対応関係を示したデータを前記移動通信網が前記通信端末へ通知する第１の過程と、
前記通信端末が前記第１の過程にて通知されたデータを記憶する第２の過程と、
前記移動通信網が前記通信端末を配下に有する交換機を示す情報を当該通信端末へ通知する第３の過程と、
前記通信端末が前記第３の過程にて通知された情報と前記データとに基づいて当該通信端末の在圏するロケーションエリアを特定する第４の過程と、
前記通信端末が、前記第４の過程にて特定されたロケーションエリアに基づいて当該通信端末がロケーションエリアを跨いで移動したか否かを判定し、ロケーションエリアを跨いで移動した場合には前記位置登録要求信号を前記移動通信網へ送信する第５の過程と
を有することを特徴とする位置登録制御方法。
【請求項５】
複数の交換機を有し、通信サービスエリアを区分して得られる複数のロケーションエリアを有する移動通信網であって、
ロケーションエリアの大きさが異なる複数の区分パターンの各々について、前記複数のロケーションエリアと前記複数の交換機との対応関係が記憶される記憶手段と、
前記記憶手段に記憶されているデータを前記通信端末に送信する第１の送信手段と、
前記通信端末に対して当該通信端末を配下に有する交換機を示す情報を送信する第２の送信手段と
を有することを特徴とする移動通信網。
【請求項６】
複数の交換機を有し、通信サービスエリアを区分して得られる複数のロケーションエリアを有する移動通信網であって、
ロケーションエリアの大きさが異なる複数の区分パターンの各々について、前記複数のロケーションエリアと前記複数の交換機との対応関係が記憶される記憶手段と、
当該移動通信網に収容される通信端末の利用形態に基づいて定まる区分パターンについてのデータを前記記憶手段から読み出して前記通信端末に送信する第１の送信手段と、
前記通信端末に対して当該通信端末を配下に有する交換機を示す情報を送信する第２の送信手段と
を有することを特徴とする移動通信網。
【請求項７】
複数の交換機を有する移動通信網の通信サービスエリアを区分して得られる複数のロケーションエリア間を跨いで移動した場合に、位置登録要求信号を前記移動通信網へ送信する通信端末であって、
ロケーションエリアの大きさが異なる複数の区分パターンの各々について、前記複数のロケーションエリアと前記複数の交換機との対応関係を示したデータを前記移動通信網から受信して記憶するデータ記憶手段と、
当該通信端末を配下に有する交換機を示す情報を前記移動通信網から受信する受信手段と、
前記受信手段により受信された情報と当該通信端末の利用形態に基づいて定まる区分パターンとに基づいて前記データ記憶手段により記憶されたデータを参照し、当該通信端末の在圏するロケーションエリアを特定する特定手段と、
前記特定手段により特定されたロケーションエリアに基づいて当該通信端末がロケーションエリアを跨いで移動したか否かを判定し、ロケーションエリアを跨いで移動した場合には前記位置登録要求信号を前記移動通信網へ送信する送信手段と
を有することを特徴とする通信端末。
【請求項８】
当該通信端末に対して時間帯毎に定められた複数の利用形態が記憶される記憶手段と、
前記受信手段による交換機を示す情報の受信に応じて現在の時刻を計時する計時手段と、
前記データ記憶手段を参照し、前記計時手段により計時された時刻に対応する利用形態を選択する選択手段とを有し、
前記特定手段は、前記受信手段により受信された交換機を示す情報と前記選択手段により選択された利用形態とに基づいて、当該通信端末がロケーションエリアを跨いで移動したか否かの判定に用いるロケーションエリアを特定する
ことを特徴とする請求項７に記載の通信端末。
【請求項９】
複数の交換機を有する移動通信網の通信サービスエリアを区分して得られる複数のロケーションエリア間を跨いで移動した場合に、位置登録要求信号を前記移動通信網へ送信する通信端末であって、
ロケーションエリアの大きさが異なる複数の区分パターンのうち、当該通信端末の利用形態に基づいて定まる区分パターンについての複数のロケーションエリアと複数の交換機との対応関係を示したデータを前記移動通信網から受信して記憶するデータ記憶手段と、
当該通信端末を配下に有する交換機を示す情報を前記移動通信網から受信する受信手段と、
前記受信手段により受信された情報と前記データ記憶手段により記憶されたデータとに基づいて当該通信端末の在圏するロケーションエリアを特定する特定手段と、
前記特定手段により特定されたロケーションエリアに基づいて当該通信端末がロケーションエリアを跨いで移動したか否かを判定し、ロケーションエリアを跨いで移動した場合には前記位置登録要求信号を前記移動通信網へ送信する送信手段と
を有することを特徴とする通信端末。
【発明の詳細な説明】
【技術分野】
【０００１】
この発明は、移動通信網に収容される通信端末の位置登録を行う位置登録制御方法、移動通信網および通信端末に関する。
【背景技術】
【０００２】
基地局や交換機などの設備を有する移動通信網と、当該移動通信網に収容される携帯電話機などの移動機とを有する移動通信システムでは、通信サービスエリアが複数のロケーションエリアによって構成されている。このような移動通信システムにおける移動通信網は、移動機に対する着信要求などに備え、通信サービスエリア内における各移動機が各々どのロケーションエリアに在圏しているのかを把握しておく必要がある。このため、移動通信網は、移動機からの位置登録要求に応じて、移動機が在圏しているロケーションエリアの識別情報を登録する、いわゆる位置登録処理を行っている。
【０００３】
この位置登録処理において移動機は、例えば、自機が他のロケーションエリアに移動したことを検出した場合などに位置登録要求信号を移動通信網に送信する。
【発明の開示】
【発明が解決しようとする課題】
【０００４】
ところで、従来の移動通信システムでは、通信サービスエリアにおけるロケーションエリアの区分が固定されていた。このため、例えば、ロケーションエリアの大きさに対して移動範囲が十分に大きく、かつ、高速で移動する移動機は、移動通信網に対して頻繁に位置登録要求信号を送信してしまう。一方、移動機への着信の際には、移動機が在圏するロケーションエリア内の全ての交換機および基地局から一斉呼び出し信号が送信される。すなわち、ロケーションエリア内でエリア境界線のぎりぎりまで使って移動する移動機であっても、ごくわずかしか移動しない移動機であっても、着信時には同じ量のトラフィックが発生してしまう。
【０００５】
このように従来の移動通信システムにおいては、位置登録および着信に関するトラフィックに無駄があり、改善の余地があった。
【０００６】
本発明は、以上説明した事情に鑑みてなされたものであり、移動通信網における位置登録および着信に関するトラフィックの無駄を省くことができる位置登録制御方法、移動通信網および通信端末を提供することを目的としている。
【課題を解決するための手段】
【０００７】
上述した課題を解決するために、複数の交換機を有する移動通信網の通信サービスエリアを区分して得られる複数のロケーションエリア間を前記移動通信網に収容される通信端末が跨いで移動した場合に、当該通信端末が位置登録要求信号を前記移動通信網へ送信する位置登録処理を制御する方法であって、ロケーションエリアの大きさが異なる複数の区分パターンの各々について、前記複数のロケーションエリアと前記複数の交換機との対応関係を示したデータを前記移動通信網が前記通信端末へ通知する第１の過程と、前記通信端末が前記第１の過程にて通知されたデータを記憶する第２の過程と、前記移動通信網が前記通信端末を配下に有する交換機を示す情報を当該通信端末へ通知する第３の過程と、前記通信端末が前記第３の過程にて通知された情報と当該通信端末の利用形態に基づいて定まる区分パターンとに基づいて前記データを参照し、当該通信端末の在圏するロケーションエリアを特定する第４の過程と、前記通信端末が、前記第４の過程にて特定されたロケーションエリアに基づいて当該通信端末がロケーションエリアを跨いで移動したか否かを判定し、ロケーションエリアを跨いで移動した場合には前記位置登録要求信号を前記移動通信網へ送信する第５の過程とを有することを特徴とする位置登録制御方法を提供する。
【０００８】
好ましい態様において、上記位置登録制御方法は、前記第１の過程に先行する過程であって、前記通信端末の利用者と前記移動通信網の事業者との間で定められた利用形態を前記通信端末が自端末の利用形態として把握する過程を更に有するようにしてもよい。
【０００９】
別の好ましい態様において、上記位置登録制御方法は、前記第３の過程と前記第４の過程の間に、前記通信端末が、前記第３の過程において送信された交換機を示す情報の受信に応じて、現在の時刻を取得する第５の過程と、前記通信端末が、当該通信端末に対して時間帯毎に定められた複数の利用形態のうち、前記第５の過程にて取得された時刻に対応する利用形態を選択する第６の過程とを有し、前記第４の過程では、前記通信端末が前記第２の過程にて通知されたデータに示されるロケーションエリアのうち、前記第３の過程にて受信した交換機を示す情報と前記第６の過程にて選択された利用形態とに基づいて、当該通信端末がロケーションエリアを跨いで移動したか否かの判定に用いるロケーションエリアを特定するようにしてもよい。
【００１０】
また、本発明は、複数の交換機を有する移動通信網の通信サービスエリアを区分して得られる複数のロケーションエリア間を前記移動通信網に収容される通信端末が跨いで移動した場合に、当該通信端末が位置登録要求信号を前記移動通信網へ送信する位置登録処理を制御する方法であって、ロケーションエリアの大きさが異なる複数の区分パターンのうち、通信端末の利用形態に基づいて定まる区分パターンについての前記複数のロケーションエリアと前記複数の交換機との対応関係を示したデータを前記移動通信網が前記通信端末へ通知する第１の過程と、前記通信端末が前記第１の過程にて通知されたデータを記憶する第２の過程と、前記移動通信網が前記通信端末を配下に有する交換機を示す情報を当該通信端末へ通知する第３の過程と、前記通信端末が前記第３の過程にて通知された情報と前記データとに基づいて当該通信端末の在圏するロケーションエリアを特定する第４の過程と、前記通信端末が、前記第４の過程にて特定されたロケーションエリアに基づいて当該通信端末がロケーションエリアを跨いで移動したか否かを判定し、ロケーションエリアを跨いで移動した場合には前記位置登録要求信号を前記移動通信網へ送信する第５の過程とを有することを特徴とする位置登録制御方法を提供する。
【００１１】
上記課題を解決するため、本発明は、複数の交換機を有し、通信サービスエリアを区分して得られる複数のロケーションエリアを有する移動通信網であって、ロケーションエリアの大きさが異なる複数の区分パターンの各々について、前記複数のロケーションエリアと前記複数の交換機との対応関係が記憶される記憶手段と、前記記憶手段に記憶されているデータを前記通信端末に送信する第１の送信手段と、前記通信端末に対して当該通信端末を配下に有する交換機を示す情報を送信する第２の送信手段とを有することを特徴とする移動通信網を提供する。
【００１２】
また、本発明は、複数の交換機を有し、通信サービスエリアを区分して得られる複数のロケーションエリアを有する移動通信網であって、ロケーションエリアの大きさが異なる複数の区分パターンの各々について、前記複数のロケーションエリアと前記複数の交換機との対応関係が記憶される記憶手段と、当該移動通信網に収容される通信端末の利用形態に基づいて定まる区分パターンについてのデータを前記記憶手段から読み出して前記通信端末に送信する第１の送信手段と、前記通信端末に対して当該通信端末を配下に有する交換機を示す情報を送信する第２の送信手段とを有することを特徴とする移動通信網を提供する。
【００１３】
さらに、上記課題を解決するため、本発明は、複数の交換機を有する移動通信網の通信サービスエリアを区分して得られる複数のロケーションエリア間を跨いで移動した場合に、位置登録要求信号を前記移動通信網へ送信する通信端末であって、ロケーションエリアの大きさが異なる複数の区分パターンの各々について、前記複数のロケーションエリアと前記複数の交換機との対応関係を示したデータを前記移動通信網から受信して記憶するデータ記憶手段と、当該通信端末を配下に有する交換機を示す情報を前記移動通信網から受信する受信手段と、前記受信手段により受信された情報と当該通信端末の利用形態に基づいて定まる区分パターンとに基づいて前記データ記憶手段により記憶されたデータを参照し、当該通信端末の在圏するロケーションエリアを特定する特定手段と、前記特定手段により特定されたロケーションエリアに基づいて当該通信端末がロケーションエリアを跨いで移動したか否かを判定し、ロケーションエリアを跨いで移動した場合には前記位置登録要求信号を前記移動通信網へ送信する送信手段とを有することを特徴とする通信端末を提供する。
【００１４】
好ましい態様において、上記通信端末は、当該通信端末に対して時間帯毎に定められた複数の利用形態が記憶される記憶手段と、前記受信手段による交換機を示す情報の受信に応じて現在の時刻を計時する計時手段と、前記データ記憶手段を参照し、前記計時手段により計時された時刻に対応する利用形態を選択する選択手段とを有し、前記特定手段は、前記受信手段により受信された交換機を示す情報と前記選択手段により選択された利用形態とに基づいて、当該通信端末がロケーションエリアを跨いで移動したか否かの判定に用いるロケーションエリアを特定するようにしてもよい。
【００１５】
また、本発明は、複数の交換機を有する移動通信網の通信サービスエリアを区分して得られる複数のロケーションエリア間を跨いで移動した場合に、位置登録要求信号を前記移動通信網へ送信する通信端末であって、ロケーションエリアの大きさが異なる複数の区分パターンのうち、当該通信端末の利用形態に基づいて定まる区分パターンについての複数のロケーションエリアと複数の交換機との対応関係を示したデータを前記移動通信網から受信して記憶するデータ記憶手段と、当該通信端末を配下に有する交換機を示す情報を前記移動通信網から受信する受信手段と、前記受信手段により受信された情報と前記データ記憶手段により記憶されたデータとに基づいて当該通信端末の在圏するロケーションエリアを特定する特定手段と、前記特定手段により特定されたロケーションエリアに基づいて当該通信端末がロケーションエリアを跨いで移動したか否かを判定し、ロケーションエリアを跨いで移動した場合には前記位置登録要求信号を前記移動通信網へ送信する送信手段とを有することを特徴とする通信端末を提供する。
【発明の効果】
【００１６】
以上説明したように本発明によれば、移動通信網における位置登録および着信に関するトラフィックの無駄を省くことができる。
【発明を実施するための最良の形態】
【００１７】
以下、図面を参照して本発明の実施形態について説明する。なお、各図において共通する部分には、同一の符号が付されている。また、かかる実施形態は本発明の一態様を示すものであり、この発明を限定するものではなく、本発明の範囲で任意に変更可能である。
【００１８】
［Ａ．第１実施形態］
［Ａ−１．実施形態の構成］
＜１．移動通信システムの構成＞
図１は、この発明の第１実施形態に係る移動通信システム１の構成を例示するブロック図である。同図に示されるように、移動通信システム１は、複数の入力端末１０と、イントラネット２０と、移動通信網３０と、この移動通信網３０に収容される複数の携帯電話機９０とを有する。
【００１９】
また、移動通信網３０は、複数の関門交換機４０と、管理サーバ５０と、ロケーションレジスタ（以下、ＬＲと略称する）６０と、複数の交換機７１を有する交換ネットワーク７０と、複数の基地局８０とを有する。この移動通信網３０は、当該移動通信網３０の通信サービスエリア内に在圏する各携帯電話機９０に対して通話サービスあるいはパケット通信サービスを提供する。
【００２０】
なお、図１においては図面が煩雑になることを防ぐために、所定の入力端末１０と、所定の関門交換機４０と、交換ネットワーク７０を構成する所定の交換機７１と、交換機７１に接続された所定の基地局８０と、移動通信網３０に収容される所定の携帯電話機９０のみが示されている。
【００２１】
まず、本実施形態の概要を説明する。
この移動通信システム１では、通話サービスエリアを複数のロケーションエリアに区分する区分パターンが、１個あたりのロケーションエリアの大きさに応じて複数種類用意されている。移動通信システム１では、携帯電話機９０を所持するユーザの行動形態や当該携帯電話機９０に対する着信頻度などに基づく携帯電話機９０の移動機特性（利用形態）に応じて、各携帯電話機９０毎に上記区分パターンを予め指定する。そして、移動通信システム１では、各携帯電話機９０毎に、予め指定した区分パターンに従って適切な大きさのロケーションエリアを用いて位置登録を行う。
【００２２】
本実施形態において移動通信システム１のサービス事業者は、このような位置登録の制御を携帯電話機９０の月極めの基本サービス料金を割引きする基本料金割引サービスの一環として行う。サービス事業者は、基本料金割引サービスの利用契約時に、ユーザから自己の携帯電話機９０の移動機特性に関する情報を教えてもらう。
【００２３】
ここで、ユーザがサービス事業者に伝える内容とは、ユーザの行動範囲や、ユーザがよく利用する移動手段（例えば、電車、車、徒歩など）、携帯電話機９０の使用頻度（着信頻度）などである。これらの内容に従ってユーザとサービス事業者との間でユーザの所有する携帯電話機９０について移動機特性が決定される。なお、この移動機特性は、予め複数種類が用意され、ユーザから伝えられた内容に従って当該ユーザが所持する携帯電話機９０に最も適した移動機特性が選択される。
【００２４】
移動通信システム１では、この移動機特性に従って携帯電話機９０の位置登録を行う。そして、移動通信網３０における位置登録および着信に関するトラフィックの低減に貢献したユーザに対しては、基本料金割引サービスの契約事項に従って基本サービス料金の割引きが実施される。
【００２５】
次に、図１に示された各装置について説明する。
入力端末１０は、携帯電話機９０の販売や携帯電話機９０に関する各種サービスを提供するサービス店などに設置されている。この入力端末１０には、サービス事業者とユーザとの間で交わされた基本料金割引サービスの利用者契約情報がサービス店の店員により入力される。入力端末１０は、この利用者契約情報をパケットデータとしてイントラネット２０を介して移動通信網３０内の管理サーバ５０へ送信する。
【００２６】
ここで、利用者契約情報には、例えば、ユーザの氏名、年齢、住所などの当該ユーザを特定するための個人情報と、ユーザが所持する携帯電話機９０の移動機特性の種類を指定する移動機特性ナンバーとが含まれている。
【００２７】
また、ユーザが既に通話サービスあるいはパケット通信サービスに加入している場合には、例えば、電話番号やＩＰアドレスなどの当該ユーザに対して既に割り当てられている加入者識別情報が上記利用者契約情報に含まれる。
【００２８】
関門交換機４０は、イントラネット２０と移動通信網３０とを相互接続するための交換機である。この関門交換機４０は、異なる通信プロトコルを有するイントラネット２０と移動交換網３０との間において伝送データの通信プロトコルを変換し、イントラネット２０と移動交換網３０とのデータの授受を中継する機能を有する。この関門交換機４０は、入力端末１０からイントラネット２０を介して送信されてくる利用者契約情報のパケットデータを管理サーバ５０に送信する。
【００２９】
管理サーバ５０は、位置登録並びに基本料金割引サービスの管理を行うサーバである。この管理サーバ５０は、入力端末１０から送信されてくる利用者契約情報を受信し、この利用者契約情報に含まれている移動機特性ナンバーに従って、各携帯電話機９０毎に位置登録の際に用いるロケーションエリアの区分パターンを管理している。また、この管理サーバ５０は、基本料金割引サービスの利用契約を行った携帯電話機９０に対して、当該携帯電話機９０の移動機特性ナンバーを交換ネットワーク７０および基地局８０を介して送信する。
【００３０】
また、管理サーバ５０は、交換ネットワーク７０を構成する各交換機７１に対して、当該交換機７１のカバーする無線エリアが上記各区分パターンにおいて形成するロケーションエリアの識別情報、すなわち、ロケーションエリアＩＤを送信する。ここで、１つのロケーションエリアは、１ないし複数の交換機７１によりカバーされている。また、交換機７１のカバーする無線エリアが形成するロケーションエリアは、ロケーションエリアの区分パターン毎に異なる。したがって、管理サーバ５０は、各交換機７１に対してロケーションエリアの区分パターン毎に異なる複数のロケーションエリアＩＤを送信する。
【００３１】
ＬＲ６０は、ホームメモリ６０ａを有する。このＬＲ６０は、移動通信網３０が提供する通話サービスあるいはパケット通信サービスに加入している各携帯電話機９０が、通信サービスエリアを構成する多数のロケーションエリアのうち、各々どのロケーションエリアに在圏しているのかを示す在圏エリア情報をホームメモリ６０ａに記憶することで位置登録を行っている。
【００３２】
なお、携帯電話機９０が基本料金割引サービスを利用している場合は、当該携帯電話機９０の移動機特性に応じたロケーションエリアの区分パターンで通信サービスエリアを区分して構成された各ロケーションエリアのうち、当該携帯電話機９０がどのロケーションエリアに在圏しているのかを示す在圏エリア情報がホームメモリ６０ａに記憶される。
【００３３】
ＬＲ６０は、交換ネットワーク７０を介して携帯電話機９０から送信されてくる位置登録要求を受信する。この位置登録要求には、送信元の携帯電話機９０を一意に特定する移動機ＩＤと、当該携帯電話機６０が在圏しているロケーションエリアを一意に特定するロケーションエリアＩＤとが含まれており、ＬＲ６０は、移動機ＩＤに対応させてロケーションエリアＩＤをホームメモリ６０ａに登録する。なお、移動機ＩＤは、例えば、携帯電話機６０の電話番号やＩＰアドレスなどである。また、ロケーションエリアＩＤの詳細については後述する。
【００３４】
交換ネットワーク７０は、複数の交換機７１を接続したネットワークである。各交換機７１は、１ないし複数の基地局８０と接続されている。これらの各交換機７１は、当該交換機７１がカバーする無線エリア、すなわち、当該交換機７１に接続された各基地局８０がカバーする無線エリア内に在圏する各携帯電話機９０からの発呼要求やこれらの各携帯電話機９０に対する着呼要求に応じて、呼接続処理などを行う。また、各交換機７１は、各々を一意に特定するための交換機ＩＤを記憶している。
【００３５】
各基地局８０は、移動通信網３０の通信サービスエリア内に多数設置されており、各々の無線エリアに在圏する携帯電話機９０と無線通信を行う。
【００３６】
携帯電話機９０は、自機が在圏する無線エリアをカバーする基地局８０と無線通信を行い、通話サービスあるいはパケット通信サービスを受ける移動機である。この携帯電話機９０は、例えば、自機の電源が投入されたことを検出した場合や、自機が他のロケーションエリアに移動したことを検出した場合に、位置登録を要求する無線信号を基地局８０に送信する。また、携帯電話機９０は、自機の電源が投入されている期間においては、たとえ同一のロケーションエリアに在圏し続けている場合であっても、周期的に位置登録を要求する無線信号を基地局８０に送信する。
【００３７】
＜２．移動機特性およびロケーションエリアの区分パターン＞
次に、移動機特性およびロケーションエリアの区分パターンについて説明する。本実施形態においては、図２に示されるように、"１"〜"５"までの各整数値に対応する５種類の移動機特性が用意されている。同図に示されるように、移動機特性ナンバー"１"は、例えば、商品販売情報を取得するために自動販売機に備え付けられたパケット通信用の通信ユニットのように非移動のもの、あるいは、移動範囲が小さい携帯電話機９０に対して用意された移動機特性である。例えば、学生の場合、朝から夕方にかけては学校内に、夜は自宅にいることがほとんどである。このような場合に好適な移動機特性として移動機特性ナンバー"１"が用意されている。
【００３８】
また、移動機特性ナンバー"２"は、移動範囲が中程度であるが、着信頻度が高い携帯電話機９０に対して用意された移動機特性である。例えば、外回りの営業マンの場合、自分の受け持つ地域内を移動し、かつ、所持する携帯電話機９０に対して会社から業務連絡が頻繁に入ってくる。このような場合に好適な移動機特性として移動機特性ナンバー"２"が用意されている。また、移動機特性ナンバー"３"は、移動範囲が中程度であるが、着信頻度が低い携帯電話機９０に対して用意された移動機特性である。さらに、移動機特性ナンバー"４"は、移動範囲が大きい携帯電話機９０に対して用意された移動機特性である。
【００３９】
最後に、移動機特性ナンバー"５"は、例えば、電車に備え付けられた専用携帯電話機や、高速道路を利用して頻繁に移動する人が所持する携帯電話機９０のように、特定の交通手段を利用して広域を高速で移動する携帯電話機９０に対して用意された移動機特性である。
【００４０】
そして、図２に示されるように、移動通信網３０では、上述した各移動機特性に応じて１個あたりのロケーションエリアの大きさを異ならせる。具体的には、移動機特性ナンバーの値が大きな値になるほど、１個あたりのロケーションエリアの大きさを大きくする。
【００４１】
次に、ロケーションエリアの区分パターンについて説明する。
本実施形態では、図２に示された各移動機特性に対応して計５種類の区分パターンにより通信サービスエリアを複数のロケーションエリアに区分している。
図３〜図７は、各移動機特性に応じて区分されたロケーションエリアの概要を模式的に示す図である。なお、これらの図３〜図７において、破線で示される１つの六角形は、１つの交換機７１がカバーする無線エリア、すなわち、１つの交換機７１に接続された１ないし複数の基地局８０がカバーする無線エリアである。また、各六角形の中心に示された３桁の数値は、当該無線エリアをカバーする交換機７１の交換機ＩＤを示している。
【００４２】
移動機特性ナンバーが"１"の場合、すなわち、非移動あるいは移動範囲が小さい携帯電話機９０に対しては、図３に示されるように、１つの交換機７１のカバーする無線エリアがそのまま１つのロケーションエリアとなるように通信サービスエリアが区分される。この場合は、各交換機７１の交換機ＩＤがそのままロケーションエリアＩＤとなる。
【００４３】
また、移動機特性ナンバーが"２"の場合、すなわち、移動範囲が中程度であり、かつ、着信頻度が高い携帯電話機９０に対しては、図４に示されるように、４つの交換機７１のカバーする無線エリアが１つのロケーションエリアとなるように通信サービスエリアが区分される。この場合、例えば、交換機ＩＤが"001"、"002"、"007"、"008"の計４つの交換機によりカバーされる無線エリアに対して、ロケーションエリアＩＤ"＃201"が付与される。
【００４４】
同様に、移動機特性ナンバーが"３"の場合、すなわち、移動範囲が中程度であり、かつ、着信頻度が低い携帯電話機９０に対しては、図５に示されるように、７つの交換機７１のカバーする無線エリアが１つのロケーションエリアとなるように通信サービスエリアが区分される。また、区分された各ロケーションエリアに対してロケーションエリアＩＤが付与される。
【００４５】
さらに、移動機特性ナンバーが"４"の場合、すなわち、移動範囲が大きな携帯電話機９０に対しては、図６に示されるように、１２個の交換機７１のカバーする無線エリアが１つのロケーションエリアとなるように通信サービスエリアが区分され、各ロケーションエリアに対してロケーションエリアＩＤが付与される。
【００４６】
また、移動機特性ナンバーが"５"の場合、すなわち、特定の交通手段を利用して広域を高速で移動する携帯電話機９０に対しては、図７に示されるように、電車の線路２あるいは高速道路に沿って存在する複数の無線エリアが１つのロケーションエリアとなるように通信サービスエリアが区分される。そして、区分された各ロケーションエリアに対してロケーションエリアＩＤが付与される。
このように本実施形態における移動通信システム１では、携帯電話機９０の移動機特性に応じて位置登録を行う際のロケーションエリアの大きさや形状を異ならせるように制御する。
【００４７】
＜３．管理サーバの構成＞
次に、図１に示された各装置の具体的な構成を順に説明する。
図８は、図１に示された管理サーバ５０のハードウェア構成を例示するブロック図である。同図に示されるように、管理サーバ５０は、メモリ５０１と、通信インタフェース５０２と、評価用ＤＢ（Data Base）５０３と、ＣＰＵ（Central
Processing Unit）５０４とを有し、これらの各部はバス５０５によって接続されている。
【００４８】
メモリ５０１には、ＣＰＵ５０４によって実行される各種プログラムなどが格納されている。また、このメモリ５０１は、移動機特性テーブル５０１ａと、ロケーションエリア管理テーブル５０１ｂとを有する。
【００４９】
移動機特性テーブル５０１ａには、図９に示されるように、基本料金割引サービスの利用契約を行った各携帯電話機９０の移動機ＩＤ毎に、当該携帯電話機９０の移動機特性ナンバーが登録される。この移動機ＩＤおよび移動機特性ナンバーは、入力端末１０から送信されてくる利用者契約情報に従って当該移動機特性テーブル５０１ａに登録される。また、同図に示される例では、移動機ＩＤとして携帯電話機９０の電話番号を用いた場合について示している。
【００５０】
ロケーションエリア管理テーブル５０１ｂには、図１０に示されるように、各移動機特性ナンバー毎に、ロケーションエリアＩＤと交換機ＩＤとの対応関係を示したデータが格納されている。
【００５１】
同図に示されるように、移動機特性ナンバーが"１"の場合は、図３に示されたロケーションエリアの区分、すなわち、交換機ＩＤがそのままロケーションエリアＩＤとなる。また、移動機特性ナンバーが"２"の場合は、図４に示されたロケーションエリアの区分、すなわち、４つの交換機ＩＤに対応させてロケーションエリアＩＤが１つ設定される。さらに、移動機特性ナンバーが"３"の場合および移動機特性ナンバーが"４"の場合にも同様に、それぞれ図５および図６に示されたロケーションエリアの区分に従って、各ロケーションエリアを構成する複数の交換機ＩＤに対応させてロケーションエリアＩＤが１つ設定される。
【００５２】
また、移動機特性ナンバーが"５"の場合は、図７に示されるように、電車の線路２あるいは高速道路に沿ってロケーションエリアが区分され、各ロケーションエリアを構成する複数の交換機ＩＤに対応させてロケーションエリアＩＤが１つ設定される。
【００５３】
図８に戻り、通信インタフェース３０２は、当該管理サーバ５０と、関門交換機４０および交換ネットワーク４０を構成する各交換機４１との間で行われるデータ通信を制御する回路である。
【００５４】
また、評価用ＤＢ５０３には、基本料金割引サービスの利用契約を行った各携帯電話機９０毎に、当該携帯電話機９０の位置登録の頻度や着信頻度などの基本サービス料金の割引きを行うか否か、あるいはその割引率を決定するために必要となる評価用データが格納される。
【００５５】
ＣＰＵ５０４は、メモリ５０１に格納されている各種プログラムを実行することにより、バス５０５を介して接続されている装置各部を制御する。このＣＰＵ５０４は、本実施形態に特有な処理として、後述する契約情報受信処理（図１６参照）およびロケーションエリアＩＤ送信処理（図１７参照）を実行する。
また、ＣＰＵ５０４は、１ヶ月毎に、評価用ＤＢ５０３に格納されている評価用データを用いて各携帯電話機９０毎に位置登録の頻度や着信頻度などを評価し、基本サービス料金の割引きを行うか否か、あるいはその割引率を決定する。
【００５６】
＜４．ＬＲのホームメモリの構成＞
図１１は、ＬＲ６０内のホームメモリ６０ａの登録内容を例示する図である。同図に示されるように、ホームメモリ６０ａには、移動通信網３０が提供する通話サービスあるいはパケット通信サービスに加入している各携帯電話機９０毎に、移動機ＩＤに対応させて当該携帯電話機９０が在圏しているロケーションエリアのロケーションエリアＩＤが登録される。例えば、同図に示される例において、移動機ＩＤが"090-1000-0001"の携帯電話機９０は、ロケーションＩＤが"#201"、すなわち、図４に示した模式図において交換機ＩＤが"001"、"002"、"007"、"008"のいずれかの無線エリアに在圏している。
【００５７】
＜５．交換機の構成＞
図１２は、図１に示された交換機７１のハードウェア構成を例示するブロック図である。同図に示されるように、交換機７１は、メモリ７１１と、通信インタフェース７１２と、ＣＰＵ７１３とを有し、これらの各部はバス７１４によって接続されている。
【００５８】
メモリ７１１には、ＣＰＵ７１３によって実行される各種プログラムなどが格納されている。また、このメモリ７１１は、交換機ＩＤ格納領域７１１ａと、ロケーションエリアＩＤ格納領域７１１ｂとを有する。
【００５９】
交換機ＩＤ格納領域７１１ａには、図１３（ａ）に示されるように、当該交換機７１の交換機ＩＤが格納されている。この交換機ＩＤは、移動機特性ナンバーが"１"の携帯電話機９０の位置登録を行う際に使用されるロケーションエリアＩＤである。
【００６０】
また、ロケーションエリアＩＤ格納領域７１１ｂには、図１３（ｂ）に示されるように、管理サーバ５０から受信した移動機特性ナンバーが"２"〜"５"の計４個のロケーションエリアＩＤが格納される。これらの各ロケーションエリアＩＤは、当該交換機７１のカバーする無線エリアが、ロケーションエリアの各区分パターンにおいて形成するロケーションエリアの識別情報であって、移動機特性ナンバーが"２"〜"５"の各携帯電話機９０の位置登録を行う際に使用される。
【００６１】
通信インタフェース７１２は、当該交換機７１と、管理サーバ５０やＬＲ６０、他の交換機７１、各基地局８０との間で行われるデータ通信を制御する回路である。
【００６２】
ＣＰＵ７１３は、メモリ７１１に格納されている各種プログラムを実行することにより、バス７１４を介して接続されている装置各部を制御する。このＣＰＵ７１３は、本実施形態に特有な処理として、交換機ＩＤ格納領域７１１ａおよびロケーションエリアＩＤ格納領域７１１ｂに格納されている移動機特性ナンバー"１"〜"５"の計５種類の各ロケーションエリアＩＤを当該交換機７１に接続された各基地局８０に送信する。また、ＣＰＵ７１３は、携帯電話機９０から基地局８０を介して送信されてくる位置登録要求信号をＬＲ６０に送信する。
【００６３】
＜６．基地局の構成＞
図１４は、図１に示された基地局８０のハードウェア構成を例示するブロック図である。同図に示されるように、基地局８０は、メモリ８０１と、通信インタフェース８０２と、無線通信部８０３と、ＣＰＵ８０４とを有し、これらの各部はバス８０５によって接続されている。
【００６４】
メモリ８０１には、ＣＰＵ８０４によって実行される各種プログラムなどが格納されている。また、このメモリ８０１は、ＣＰＵ８０４のワークエリアとして用いられ、例えば、交換機７１から受信した移動機特性ナンバー"１"〜"５"の計５個のロケーションエリアＩＤなどが一時的に格納される。
【００６５】
通信インタフェース８０２は、当該基地局８０と交換機７１との間で行われるデータ通信を制御する回路である。
【００６６】
無線通信部８０３は、アンテナ８０３ａを備え、携帯電話機９０との間で行われる無線データ通信を制御する。この無線通信部８０３は、ＣＰＵ８０４の制御の下、交換機７１から受信した移動機特性ナンバー"１"〜"５"の計５個のロケーションエリアＩＤなどを含んだ制御信号を生成する。制御信号は、基地局８０と携帯電話機９０との間で制御チャネル（ＣＣＨ）を利用して間欠的に送受信される無線信号であり、移動通信網３０と各携帯電話機９０との間で位置登録を含む各種制御用の信号や情報などを送受信するために用いられる。また、無線通信部８０３は、通話用の音声データあるいはパケットデータなどを送信するための無線信号を生成する。そして、無線通信部８０３は、生成したこれらの信号をアンテナ８０３ａを介して携帯電話機９０に送信する。
【００６７】
さらに、無線通信部８０３は、携帯電話機９０から送られてくる制御信号をアンテナ８０３ａを介して受信し、この制御信号を復調して位置登録要求信号などを得る。また、無線通信部８０３は、通話用の音声データあるいはパケットデータなどが含まれている無線信号を受信し、これを復調して音声データあるいはパケットデータを得る。
【００６８】
ＣＰＵ８０４は、メモリ８０１に格納されている各種プログラムを実行することにより、バス８０５を介して接続されている装置各部を制御する。このＣＰＵ８０４は、本実施形態に特有な処理として制御信号送信処理（図１８参照）および制御信号受信処理（図２０参照）を実行し、無線通信部８０３を介して携帯電話機９０との間で制御信号を送受信する。
【００６９】
＜７．携帯電話機の構成＞
図１５は、図１に示された携帯電話機９０のハードウェア構成を例示するブロック図である。同図に示されるように、携帯電話機９０は、無線通信部９０１と、操作部９０２と、通話処理部９０３と、表示部９０４と、記憶部９０５と、ＣＰＵ９０９とを有し、これらの各部はバス９１０によって接続されている。
無線通信部９０１は、アンテナ９０１ａを備え、基地局８０との間で行われる無線データ通信を制御する。この無線通信部９０１は、ＣＰＵ９０９の制御の下、位置登録要求信号を含んだ制御信号を生成する。また、無線通信部９０１は、通話用の音声データあるいはパケットデータなどを送信するための無線信号を生成する。そして、無線通信部９０１は、生成したこれらの信号をアンテナ９０１ａを介して基地局８０に送信する。
【００７０】
さらに、無線通信部９０１は、基地局８０から送られてくる制御信号をアンテナ９０１ａを介して受信し、この制御信号を復調して移動機特性ナンバー"１"〜"５"の計５個のロケーションエリアＩＤなどを得る。また、無線通信部９０１は、通話用の音声データあるいはパケットデータなどが含まれている無線信号を受信し、これを復調して音声データあるいはパケットデータを得る。
【００７１】
操作部９０２は、数字や文字、操作指示などを入力するための複数のキーを備え、これらのキーの操作に応じた操作信号をＣＰＵ９０９に出力する。通話処理部９０３は、例えば、マイクロフォンやスピーカ、音声処理部などを有し、ＣＰＵ９０９の制御の下、呼接続／切断処理を含む通話処理を行う。表示部９０４は、液晶表示パネルと、この液晶表示パネルの表示制御を行う駆動回路とを有する。
【００７２】
記憶部９０５は、ＲＯＭ（Read Only Memory）９０６と、ＲＡＭ（Random Access Memory）９０７と、例えば、ＳＲＡＭ（Static−RAM）やＥＥＰＲＯＭ（Electrically Erasable Programmable Read Only Memory）などの不揮発性メモリ９０８とを有する。
【００７３】
ＲＯＭ９０６には、ＣＰＵ９０９によって実行される各種プログラムなどが格納されている。また、ＲＡＭ９０７は、ＣＰＵ９０９のワークエリアとして用いられ、例えば、基地局８０から受信した移動機特性ナンバー"１"〜"５"の計５個のロケーションエリアＩＤなどが一時的に格納される。
【００７４】
不揮発性メモリ９０８は、移動機特性ナンバー格納領域９０８ａと、在圏エリアＩＤ格納領域９０８ｂと、移動機ＩＤ格納領域９０８ｃとを有する。
移動機特性ナンバー格納領域９０８ａには、基地局８０から受信した当該携帯電話機９０の移動機特性ナンバーが格納される。在圏エリアＩＤ格納領域９０８ｂには、当該携帯電話機９０が在圏するロケーションエリアのロケーションエリアＩＤが格納される。また、移動機ＩＤ格納領域９０８ｃには、当該携帯電話機９０の移動機ＩＤが、例えば、この携帯電話機９０の購入時に書き込まれる。
【００７５】
ＣＰＵ９０９は、記憶部９０５に格納されている各種プログラムを実行することにより、バス９１０を介して接続されている装置各部を制御する。このＣＰＵ９１０は、本実施形態に特有な処理として位置登録処理（図１９参照）を実行し、自機が他のロケーションエリアに移動した場合などに位置登録要求信号を含む制御信号を無線通信部９０１から基地局８０に送信する。
以上が本実施形態に係る移動通信システム１の構成である。
【００７６】
［Ａ−２．実施形態の動作］
次に、本実施形態の動作について説明する。
まず、ユーザは、基本料金割引サービスを受けるにあたり、サービス店において当該サービスを受けるための契約を行う。このサービスの利用契約手続に際して、ユーザは、自己の携帯電話機９０の移動機特性に関する情報をサービス事業者に伝える。
【００７７】
ここで、ユーザがサービス事業者に伝える内容とは、例えば、ユーザの行動範囲や、ユーザがよく利用する移動手段（例えば、電車、車、徒歩など）、携帯電話機９０の着信頻度などである。
【００７８】
これらの内容に従ってユーザとサービス事業者との間でユーザの所有する携帯電話機９０について移動機特性が決定される。そして、当該移動機特性の種類を指定する移動機特性ナンバーを含んだ基本料金割引サービスの利用者契約情報がサービス店の店員により入力端末１０に入力される。入力端末１０は、この利用者契約情報をパケットデータとしてイントラネット２０を介して移動通信網３０内の管理サーバ５０へ送信する。
【００７９】
＜１．契約情報受信処理＞
図１６は、管理サーバ５０においてＣＰＵ５０４により実行される契約情報受信処理の動作を説明するフローチャートである。この契約情報受信処理は、入力端末１０から送信されてくる利用者契約情報を受信すると、ＣＰＵ５０４により開始される。
【００８０】
同図に示されるように、まず、ＣＰＵ５０４は、受信した利用者契約情報に従ってメモリ５０１内の移動機特性テーブル５０１ａを更新する（ステップＳ１０１）。すなわち、ＣＰＵ５０４は、利用者契約情報に従って、新たに当該サービスの利用契約を行った携帯電話機９０あるいは契約内容を変更した携帯電話機９０の移動機ＩＤに対応させてその移動機特性ナンバーを移動機特性テーブル５０１ａに格納する。
【００８１】
次いで、ＣＰＵ５０４は、上記ステップＳ１０１において移動機特性ナンバーの格納処理を行った携帯電話機９０が当該サービスの新規利用の携帯電話機９０であるか否かを判別し（ステップＳ１０２）、新規利用の携帯電話機９０でない場合は、ステップＳ１０４に移行する。また、ＣＰＵ５０４は、当該サービスの新規利用の携帯電話機９０であると判別した場合は、評価用ＤＢ５０３内にこの携帯電話機９０の評価用データを格納するためのメモリ領域を設定する（ステップＳ１０３）。
【００８２】
そして、ＣＰＵ５０４は、新たに当該サービスの利用契約を行った携帯電話機９０あるいは契約内容を変更した携帯電話機９０に対して、移動機特性ナンバーを交換ネットワーク７０および基地局８０を介して送信し（ステップＳ１０４）、契約情報受信処理を終了する。
【００８３】
一方、該当する携帯電話機９０は、自機が在圏する無線エリアをカバーする基地局８０から移動機特性ナンバーを受信すると、この移動機特性ナンバーを不揮発性メモリ９０８内の移動機特性ナンバー格納領域９０８ａに格納する。
【００８４】
＜２．ロケーションエリアＩＤ送信処理＞
図１７は、管理サーバ５０においてＣＰＵ５０４により実行されるロケーションエリアＩＤ送信処理の動作を説明するフローチャートである。このロケーションエリアＩＤ送信処理は、ロケーションエリアの区分パターンに変更があった場合や、交換機７１からロケーションエリアＩＤの送信要求を受信した場合に、ＣＰＵ５０４により開始される。
【００８５】
同図に示されるように、まず、ＣＰＵ５０４は、ロケーションエリアＩＤを送信する交換機７１を特定する（ステップＳ２０１）。次いで、ＣＰＵ５０４は、特定した交換機７１の交換機ＩＤに従ってメモリ５０１内のロケーションエリア管理テーブル５０１ｂを参照し、この交換機７１のカバーする無線エリアについて、移動機特性ナンバー"２"〜"５"の計４個のロケーションエリアＩＤを取得する（ステップＳ２０２）。
【００８６】
そして、ＣＰＵ５０４は、取得した４個のロケーションエリアＩＤを上記ステップＳ２０１において特定された交換機７１へ通信インタフェース５０２を介して送信する（ステップＳ２０３）。
【００８７】
この後、ＣＰＵ５０４は、他の交換機７１に対するロケーションエリアＩＤの送信処理が残っているか否かを判別する（ステップＳ２０４）。そして、ＣＰＵ５０４は、他の交換機７１に対する送信処理が残っていると判別した場合は、上記ステップＳ２０１に戻る。また、ＣＰＵ５０４は、他の交換機７１に対するロケーションエリアＩＤの送信処理が残っていないと判別した場合は、ロケーションエリアＩＤ送信処理を終了する。
【００８８】
一方、該当する交換機７１は、管理サーバ５０から移動機特性ナンバー"２"〜"５"の計４個のロケーションエリアＩＤを受信すると、これらの各ロケーションエリアＩＤをメモリ７１１内のロケーションエリアＩＤ格納領域７１１ｂに格納する。また、各交換機７１は、交換機ＩＤ格納領域７１１ａおよびロケーションエリアＩＤ格納領域７１１ｂに格納されている移動機特性ナンバー"１"〜"５"の計５種類の各ロケーションエリアＩＤを当該交換機７１に接続されている各基地局８０へ通信インタフェース７１２を介して送信する。
【００８９】
＜３．制御信号送信処理＞
次に、図１８は、基地局８０においてＣＰＵ８０４により実行される制御信号送信処理の動作を説明するフローチャートである。この制御信号送信処理は、タイマ割り込みなどによってＣＰＵ８０４により定期的に開始される。
【００９０】
同図に示されるように、まず、ＣＰＵ８０４は、交換機７１から移動機特性ナンバー"１"〜"５"の計５種類の各ロケーションエリアＩＤを受信したか否かを判別し（ステップＳ３０１）、これらの情報を受信していない場合は、ステップＳ３０３に移行する。また、ＣＰＵ８０４は、各ロケーションエリアＩＤを受信したと判別した場合は、これらの情報をメモリ８０１に格納する（ステップＳ３０２）。
【００９１】
次いで、ＣＰＵ８０４は、制御信号の送信タイミングに到達したか否かを判別する（ステップＳ３０３）。但し、ここで制御信号の送信タイミングとは、送信する制御信号の生成に要する時間を含めたタイミングを指す。ＣＰＵ８０４は、制御信号の送信タイミングに到達したと判別した場合は、メモリ８０１に格納されている移動機特性ナンバー"１"〜"５"の各ロケーションエリアＩＤを読み出して、制御信号の送信を指示するコマンドとともに無線通信部８０３に送る（ステップＳ３０４）。
【００９２】
これに応じて無線通信部８０３は、まず、ＣＰＵ８０４によって送られてきた移動機特性ナンバー"１"〜"５"の各ロケーションエリアＩＤを報知情報として含んだ制御信号を生成する。ここで、報知情報は、制御チャネル内の報知チャネル（ＢＣＣＨ）に含まれる情報である。また、報知チャネルは、無線エリア内の各携帯電話機９０に対して制御情報を報知するための基地局８０から各携帯電話機９０への片方向型チャネルである。
【００９３】
そして、無線通信部８０３は、生成した制御信号をアンテナ８０３ａを介して無線エリア内の各携帯電話機９０に送信する。また、この後、無線通信部８０３は、制御信号の送信を終えたことを示す送信完了通知をＣＰＵ８０４に送る。そして、ＣＰＵ８０４は、無線通信部８０３から送信完了通知を受け取ると（ステップＳ３０５）、制御信号送信処理を終了する。
【００９４】
＜４．位置登録処理＞
次に、図１９は、携帯電話機９０においてＣＰＵ９０９により実行される位置登録処理の動作を説明するフローチャートである。この位置登録処理は、携帯電話機９０が基地局８０から制御信号を間欠受信すると、ＣＰＵ９０９によって開始される。
【００９５】
同図に示されるように、まず、ＣＰＵ９０９は、無線通信部９０１において復号された制御信号に含まれている移動機特性ナンバー"１"〜"５"の各ロケーションエリアＩＤを取得する（ステップＳ４０１）。そして、ＣＰＵ９０９は、各ロケーションエリアＩＤをＲＡＭ９０７に格納する。次いで、ＣＰＵ９０９は、移動機特性ナンバー格納領域９０８ａから移動機特性ナンバーを取得する（ステップＳ４０２）。そして、ＣＰＵ９０９は、ＲＡＭ９０７に格納した各ロケーションエリアＩＤのうち、自機の移動機特性ナンバーに対応したロケーションエリアＩＤを取得する（ステップＳ４０３）。
【００９６】
この後、ＣＰＵ９０９は、取得したロケーションエリアＩＤと、在圏エリアＩＤ格納領域９０８ｂに格納されているロケーションエリアＩＤとを照合する（ステップＳ４０４）。そして、ＣＰＵ９０９は、照合の結果、両方のロケーションエリアＩＤが不一致であったか否かを判別する（ステップＳ４０５）。
【００９７】
その結果、ＣＰＵ９０９は、両方のロケーションエリアＩＤが一致したと判別した場合（ステップＳ４０５：Ｎｏ）、すなわち、当該携帯電話機９０が同一のロケーションエリアに在圏し続けていると判別した場合は、位置登録処理を終了する。
【００９８】
また、ＣＰＵ９０９は、両方のロケーションエリアＩＤが不一致であったと判別した場合（ステップＳ４０５：Ｙｅｓ）、すなわち、当該携帯電話機９０が他のロケーションエリアに移動したと判別した場合は、次いで、移動機ＩＤ格納領域９０８ｃから自機の移動機ＩＤを読み出すとともに、上記ステップＳ４０３において特定されたロケーションエリアＩＤを取得する（ステップＳ４０６）。そして、ＣＰＵ９０９は、これらの移動機ＩＤおよびロケーションエリアＩＤと、位置登録要求信号の送信を指示するコマンドとを無線通信部９０１に送る（ステップＳ４０７）。
【００９９】
これに応じて無線通信部９０１は、受け取った移動機ＩＤおよびロケーションエリアＩＤを含んだ位置登録要求信号を個別セル用情報として含んだ制御信号を生成する。ここで、個別セル用情報は、制御チャネル内の個別セル用チャネル（ＳＣＣＨ）に含まれる情報である。また、個別セル用チャネルとは、基地局８０と携帯電話機９０との間で制御情報の授受を行うための双方向型チャネルである。
【０１００】
そして、無線通信部９０１は、生成した制御信号をアンテナ９０１ａを介して基地局８０に送信する。詳細は制御信号受信処理（図２０参照）において説明するが、この位置登録要求信号を含んだ制御信号は、基地局８０において受信され、当該制御信号に含まれている位置登録要求信号が基地局８０から交換機７１を介してＬＲ６０に送信される。そして、ＬＲ６０において、受信した位置登録要求信号に従って携帯電話機９０の在圏エリア情報が更新されると、当該ＬＲ６０から交換機７１を介して基地局８０に登録完了通知が返信される。基地局８０は、この登録完了通知を制御信号に含んで位置登録要求を行った携帯電話機９０へ送信する。
【０１０１】
そして、携帯電話機９０のＣＰＵ９０９は、無線通信部９０１を介して上記登録完了通知を受信すると（ステップＳ４０８）、在圏エリアＩＤ格納領域９０８ｂに格納されているロケーションエリアＩＤを上記ステップＳ４０３において特定されたロケーションエリアＩＤに書き換えた後（ステップＳ４０９）、位置登録処理を終了する。
【０１０２】
なお、携帯電話機９０のＣＰＵ９０９は、自機の電源が投入されたことを検出した場合にも、基地局８０からの制御信号に含まれる各ロケーションエリアＩＤの中から自機の移動機特性ナンバーに対応したロケーションエリアＩＤを取得し、このロケーションエリアＩＤと自機の移動機ＩＤとを含む位置登録要求信号を基地局８０に送信する。
【０１０３】
＜５．制御信号受信処理＞
図２０は、基地局８０においてＣＰＵ８０４により実行される制御信号受信処理の動作を説明するフローチャートである。この制御信号受信処理は、タイマ割り込みなどによってＣＰＵ８０４により定期的に開始される。
【０１０４】
同図に示されるように、まず、ＣＰＵ８０４は、無線通信部８０３が携帯電話機９０からの制御信号を受信したか否かを判別し（ステップＳ５０１）、制御信号を受信していない場合は、制御信号受信処理を終了する。
【０１０５】
また、ＣＰＵ８０４は、無線通信部８０３が制御信号を受信したと判別した場合は、無線通信部８０３において復号された制御信号に位置登録要求信号が含まれているか否かを判別する（ステップＳ５０２）。そして、ＣＰＵ８０４は、位置登録要求信号が含まれていないと判別した場合は、制御信号の受信に関するその他の処理を実行した後（ステップＳ５０３）、制御信号受信処理を終了する。
【０１０６】
また、ＣＰＵ８０４は、無線通信部８０３において受信および復号した制御信号に位置登録要求信号が含まれていると判別した場合は、移動機ＩＤおよびロケーションエリアＩＤを含んだ当該位置登録要求信号を通信インタフェース８０２を介して交換機７１に送信する（ステップＳ５０４）。
【０１０７】
交換機７１は、基地局８０から位置登録要求信号を受信すると、この位置登録要求信号をＬＲ６０に送信する。これに応じてＬＲ６０は、位置登録要求信号に含まれている移動機ＩＤおよびロケーションエリアＩＤに従って、ホームメモリ６０ａ内における該当する携帯電話機９０の在圏エリア情報を更新する。この後、ＬＲ６０は、要求された位置登録が完了したことを示す登録完了通知を基地局８０に対して返信する。
【０１０８】
基地局８０のＣＰＵ８０４は、ＬＲ６０から交換機７１を介して登録完了通知を受信すると（ステップＳ５０５）、位置登録を行った携帯電話機９０に対して、登録完了通知を含んだ制御信号を無線通信部８０３を介して送信する（ステップＳ５０６）。そして、この後、ＣＰＵ８０４は、制御信号受信処理を終了する。
【０１０９】
＜６．着呼処理＞
図２１は、交換機７１においてＣＰＵ７１３により実行される着呼処理の動作を説明するフローチャートである。この着呼処理は、当該交換機７１がカバーする無線エリア内に在圏する携帯電話機９０からの発呼要求に応じて、この発呼要求に基づく着呼先の携帯電話機９０が当該移動通信網３０に収容される携帯電話機９０である場合にＣＰＵ７１３により開始される。
【０１１０】
同図に示されるように、まず、ＣＰＵ７１３は、通信インタフェース７１２を介して受信した発呼要求に含まれている着呼先の移動機ＩＤを取得する（ステップＳ６０１）。次いで、ＣＰＵ７１３は、この着呼先の移動機ＩＤと、この移動機ＩＤを有する携帯電話機９０の在圏ロケーションエリアを問い合わせる問い合わせコマンドとをＬＲ６０に送信する（ステップＳ６０２）。
【０１１１】
ＬＲ６０は、交換機７１から移動機ＩＤおよび問い合わせコマンドを受信すると、この移動機ＩＤに対応するロケーションエリアＩＤをホームメモリ６０ａから読み出して、問い合わせを行った交換機７１に返信する。
【０１１２】
交換機７１は、問い合わせに応じてＬＲ６０からロケーションエリアＩＤを受信することにより（ステップＳ６０３）、着呼先の携帯電話機９０が在圏しているロケーションエリアを特定することができる。次いで、交換機７１のＣＰＵ７１３は、受信したロケーションエリアＩＤの先頭に"＃"が付与されているか否かを判別する（ステップＳ６０４）。その結果、ＣＰＵ７１３は、"＃"が付与されていないと判別した場合、すなわち、受信したロケーションエリアＩＤが交換機ＩＤである場合は、ステップＳ６０７に移行する。
【０１１３】
一方、ＣＰＵ７１３は、受信したロケーションエリアＩＤの先頭に"＃"が付与されていると判別した場合、すなわち、受信したロケーションエリアＩＤが移動機特性ナンバー"２"〜"５"のロケーションエリアＩＤであると判別した場合は、当該ロケーションエリアＩＤと、当該ロケーションエリアＩＤに対応する交換機ＩＤを問い合わせる問い合わせコマンドとを管理サーバ５０に送信する（ステップＳ６０５）。
【０１１４】
管理サーバ５０は、交換機７１からロケーションエリアＩＤおよび問い合わせコマンドを受信すると、このロケーションエリアＩＤに対応する複数の交換機ＩＤをロケーションエリア管理テーブル５０１ｂから読み出して、問い合わせを行った交換機７１に返信する。
【０１１５】
これにより交換機７１のＣＰＵ７１３は、管理サーバ５０から複数の交換機ＩＤを受信する（ステップＳ６０６）。次いで、ＣＰＵ７１３は、上記ステップＳ６０６において受信した複数の交換機ＩＤ、あるいは上記ステップＳ６０４において"＃"が付与されていないと判別された１つ交換機ＩＤに従って、該当する１ないし複数の交換機７１、すなわち、着呼先の携帯電話機９０が在圏しているロケーションエリアをカバーする各交換機７１に対して、着呼先の移動機ＩＤを含む着呼通知を送信する（ステップＳ６０７）。
【０１１６】
この着呼通知を受信した１ないし複数の交換機７１では、当該交換機７１に接続されている各基地局８０を介して該当する携帯電話機９０の一斉呼び出しを行う。これに応じて該当する携帯電話機９０から着呼応答が返信され、この着呼応答を受信した交換機７１と、発呼元の交換機７１との間で呼接続処理が行われる（ステップＳ６０８）。この後、発呼元の交換機７１のＣＰＵ７１３は、着呼処理を終了する。
【０１１７】
＜７．その他の動作の補足＞
管理サーバ５０のＣＰＵ５０４は、例えば、１ヶ月毎に、評価用ＤＢ５０３に格納されている評価用データを用いて各携帯電話機９０毎に位置登録の頻度や着信頻度などを評価し、基本サービス料金の割引きを行うか否か、あるいはその割引率を決定する。そして、ＣＰＵ５０４は、各携帯電話機９０についての割引きの実施有無や割引率に関する情報を移動通信網３０内の図示を省略した課金管理サーバへ送信する。
【０１１８】
課金管理サーバでは、受信した情報に従って基本料金割引サービスの利用者に対する月極めの基本サービス料を決定する。また、課金管理サーバでは、通話サービスあるいはパケット通信サービスの各加入者毎に、各種サービスの利用状況に応じた１ヶ月のサービス利用料を算出し、このサービス利用料に基本サービス料を加算して各加入者の月額利用料を決定する。
【０１１９】
以上説明したように本実施形態によれば、基本料金割引サービスを利用している携帯電話機９０については、当該携帯電話機９０の移動機特性に応じたロケーションエリアの区分パターンに従って位置登録が行われる。したがって、例えば、移動範囲が大きく、かつ、高速で移動する携帯電話機９０に対しては、当該携帯電話機９０の移動機特性に応じた大きなロケーションエリアを用いて位置登録が行われる。また、例えば、電車や高速道路など特定の交通手段を利用して広域を高速で移動する携帯電話機９０に対しては、電車の路線２や高速道路に沿って形成された大きなロケーションエリアを用いて位置登録が行われる。
【０１２０】
したがって、携帯電話機９０からの頻繁な位置登録要求信号の送信を抑えることが可能となり、携帯電話機９０の消費電力を低減することができる。また、これにより移動通信網３０では、基地局８０と携帯電話機９０間の無線伝送路および基地局８０から交換機７１およびＬＲ６０に到る伝送路において、位置登録に関するトラフィックの無駄を省くことができる。
【０１２１】
また、本実施形態によれば、基本料金割引サービスを利用している携帯電話機９０への着信に際しては、位置登録の際に用いた当該携帯電話機９０の移動機特性に応じたロケーションエリアの区分パターンに従って、この携帯電話機９０が在圏しているロケーションエリア内に一斉呼び出しがかかる。
【０１２２】
したがって、例えば、移動範囲が小さく、かつ、着信頻度が高い携帯電話機９０に対しては、当該携帯電話機９０の移動機特性に応じた小さなロケーションエリア内のみに一斉呼び出しがかかることとなる。つまり、交換機７１や基地局８０からの無駄な一斉呼び出し信号の送信を極力抑えることができる。
【０１２３】
［Ｂ．第２実施形態］
上記第１実施形態では、移動機特性"１"〜"５"の計５種類のロケーションエリアＩＤを移動通信網３０から携帯電話機９０に送信する場合について説明した。本実施形態では、移動通信網３０から携帯電話機９０に交換機ＩＤのみを送信する場合について説明する。
【０１２４】
なお、本実施形態に係る移動通信システムは、図１に示された構成と同様の構成により実現される。したがって、特に示さない限り、本実施形態における各装置は、第１実施形態と同様の構成を有し、同様の動作を行うものとする。また、本実施形態において、上記第１実施形態と共通する部分については同一の符号を使用するものとする。また、上記第１実施形態と共通する部分についてはその説明を省略するものとする。
【０１２５】
［Ｂ−１．実施形態の構成］
本実施形態における携帯電話機９０は、パケット通信サービスに加入しており、管理サーバ５０との間でパケット通信を行うことが可能である。この携帯電話機９０は、図２２に示されるハードウェア構成を有している。ここで、同図に示されるように、携帯電話機９０は不揮発性メモリ９５０を有し、この不揮発性メモリ９５０は、上記第１実施形態において説明した在圏エリアＩＤ格納領域９０８ｂ、移動機ＩＤ格納領域９０８ｃと、ロケーションエリアデータ格納領域９５０ａとを有する。
【０１２６】
ここで、図２３に示されるように、ロケーションエリアデータ格納領域９５０ａには、管理サーバ５０のメモリ５０１に格納されているロケーションエリア管理テーブル５０１ｂ（図１０参照）のうち、当該携帯電話機９０に対して設定された移動機特性ナンバーに対応する部分のテーブルデータ（ロケーションエリアテーブル９５１）が格納される。このロケーションエリアテーブル９５１には、当該携帯電話機９０の移動機特性ナンバーに対応する、ロケーションエリアＩＤと交換機ＩＤとの対応関係を示したデータが格納されている。
【０１２７】
このロケーションエリアテーブル９５１は、管理サーバ５０から送信されてくるデータであって、管理サーバ５０は、予め各移動機特性ナンバー毎のロケーションエリアテーブル９５１を携帯電話機９０への送信用データとしてメモリ５０１に格納している。
【０１２８】
なお、図２３に示されたロケーションエリアテーブル９５１は、携帯電話機９０の移動機特性ナンバーが"２"の場合について例示するものである。また、本実施形態において、各交換機７１におけるロケーションエリア格納領域７１１ｂは不要となる。
【０１２９】
［Ｂ−２．実施形態の動作］
以下、本実施形態の動作について説明する。
まず、管理サーバ５０は、上記契約情報受信処理（図１６参照）のステップＳ１０４において、新たに当該サービスの利用契約を行った携帯電話機９０あるいは契約内容を変更した携帯電話機９０に対して、当該携帯電話機９０の移動機特性ナンバーに対応するロケーションエリアテーブル９５１を交換ネットワーク７０および基地局８０を介して送信する（ステップＳ１０４）。
【０１３０】
このステップＳ１０４の処理をより具体的に説明すると、まず、管理サーバ５０と携帯電話機９０との間でパケット通信が行われ、携帯電話機９０から管理サーバ５０に対して、自機の移動機特性ナンバーに応じたロケーションエリアテーブル９５１をダウンロードする旨のダウンロード要求が送信される。管理サーバ５０は、このダウンロード要求を受信すると、移動機特性テーブル５０１ａを参照し、この携帯電話機９０の移動機特性ナンバーに対応するロケーションエリアテーブル９５１をメモリ５０１から読み出して携帯電話機９０へ送信する。
【０１３１】
該当する携帯電話機９０は、管理サーバ５０からロケーションエリアテーブル９５１を受信すると、このロケーションエリアテーブル９５１をロケーションエリアデータ格納領域９５０ａに格納する。
【０１３２】
また、本実施形態において管理サーバ５０は、ロケーションエリアＩＤ送信処理（図１７参照）を実行する必要がない。各交換機７１は、自己の交換機ＩＤのみを当該交換機７１に接続されている各基地局８０へ送信する。そして、基地局８０は、交換機７１から受信した交換機ＩＤを含んだ制御信号を携帯電話機９０へ送信する。
【０１３３】
＜１．位置登録処理＞
図２４は、本実施形態において、携帯電話機９０のＣＰＵ９０９により実行される位置登録処理の動作を説明するフローチャートである。この位置登録処理は、携帯電話機９０が基地局８０から制御信号を間欠受信すると、ＣＰＵ９０９によって開始される。
【０１３４】
同図に示されるように、まず、ＣＰＵ９０９は、無線通信部９０１において復号された制御信号に含まれている交換機ＩＤを取得する（ステップＳ７０１）。
次いで、ＣＰＵ９０９は、ロケーションエリアデータ格納領域９５０ａに格納されているロケーションエリアテーブル９５１を参照し、上記ステップＳ７０１において取得した交換機ＩＤに従って当該携帯電話機９０の在圏しているロケーションエリアＩＤを取得する（ステップＳ７０２）。
【０１３５】
以降、同図に示すステップＳ７０３〜Ｓ７０８の処理は、上記第１実施形態における位置登録処理（図１９参照）のステップＳ４０４〜Ｓ４０９の処理と同様であるので説明を省略する。
【０１３６】
また、この位置登録処理によって携帯電話機９０から送信された位置登録要求信号は、基地局８０および交換機７１を介してＬＲ６０に到達する。そして、この位置登録要求信号に含まれている移動機ＩＤおよびロケーションエリアＩＤに従って、ＬＲ６０内のホームメモリ６０ａに格納されている当該携帯電話機９０の在圏エリア情報が更新される。また、このホームメモリ６０ａ内の在圏エリア情報に従って当該携帯電話機９０に対する呼接続処理が行われる。
【０１３７】
以上説明したように本実施形態によれば、上記第１実施形態において説明したように、移動機特性"１"〜"５"の計５種類のロケーションエリアＩＤを移動通信網３０から携帯電話機９０に送信しなくても、交換機ＩＤのみを送信することによって上記第１実施形態と同様の効果を奏する。また、複数種類のロケーションエリアＩＤを送信する必要がないので、移動通信網３０における位置登録に関するデータ通信容量を低減することができる。
【０１３８】
［Ｃ．変形例］
以上、本発明の実施形態について説明したが、この実施形態はあくまでも例示であり、本発明の趣旨から逸脱しない範囲で様々な変形が可能である。変形例としては、例えば以下のようなものが考えられる。
【０１３９】
＜変形例１＞
上記第１実施形態において、さらに以下に述べる制御を行う構成としてもよい。すなわち、携帯電話機９０のＣＰＵ９０９は、現在時刻を計時する機能をさらに有する。また、携帯電話機９０の移動機特性ナンバー格納領域９０１ａには、契約情報受信処理（図１６参照）のステップＳ１０４において管理サーバ５０から送信されてくる図２５に示される時間帯管理テーブル９６０が格納される。
【０１４０】
同図に示すように、この時間帯管理テーブル９６０は、１日の各時間帯毎に、当該携帯電話機９０の移動機特性を示す移動機特性ナンバーが格納されている。この時間帯管理テーブル９６０は、基本料金割引サービスの利用契約手続に際して、ユーザとサービス事業者との間で決定されるものである。このため、ユーザは契約時に、自己の行動範囲や、よく利用する移動手段、携帯電話機９０の着信頻度など加えて、さらに、ユーザがよく移動する時間帯やあまり移動しない時間帯、電車や車などの移動手段を利用する時間帯、携帯電話機９０をよく使用する時間帯などの情報をサービス事業者に伝える。
【０１４１】
例えば、図２５に示される時間帯管理テーブル９６０は、デスクワークの仕事に就いている会社員が所持する携帯電話機９０について示すものである。午前７時〜８時および午後８時〜９時の時間帯が通勤時間であり、電車を利用していることから、この時間帯についてのみ移動機特性ナンバーが"５"に設定されている。また、他の時間帯については、自宅もしくは会社内の自分の部署内にいることがほとんどであるため、移動機特性ナンバーが"１"に設定されている。
【０１４２】
携帯電話機９０のＣＰＵ９０９は、位置登録処理（図１９参照）のステップＳ４０２において、移動機特性ナンバー格納領域９０８ａに格納された時間帯管理テーブル９６０から、現在時刻に応じた移動機特性ナンバーを読み出す（ステップＳ４０２）。そして、ＣＰＵ９０９は、基地局８０から送信されてきた各ロケーションエリアＩＤのうち、現在時刻に応じて取得した移動機特性ナンバーに対応するロケーションエリアＩＤを取得する（ステップＳ４０３）。
【０１４３】
このような制御構成とすれば、さらに時間帯に応じて位置登録の際に用いるロケーションエリアの大きさを変更することができる。なお、携帯電話機９０のＣＰＵ９０９がさらに現在の曜日や月日を把握するためのカレンダー機能を有し、時間帯に加え、曜日や祝日、月末などの情報を考慮して、位置登録の際に用いるロケーションエリアの大きさを変更する構成としてもよい。
【０１４４】
＜変形例２＞
上記第２実施形態に関連して、さらに以下に述べる制御を行う構成としてもよい。すなわち、携帯電話機９０は、図２６に示されるハードウェア構成を有しており、不揮発性メモリ９７０は、上記第１実施形態において説明した、移動機特性ナンバー格納領域９０８ａ、在圏エリアＩＤ格納領域９０８ｂ、移動機ＩＤ格納領域９０８ｃと、ロケーションエリアデータ格納領域９７０ａとを有する。
【０１４５】
ここで、ロケーションエリアデータ格納領域９７０ａには、管理サーバ５０のメモリ５０１に格納されているロケーションエリア管理テーブル５０１ｂ（図１０参照）が格納される。すなわち、管理サーバ５０は、上記契約情報受信処理（図１６参照）のステップＳ１０４において、新たに当該サービスの利用契約を行った携帯電話機９０あるいは契約内容を変更した携帯電話機９０に対して、当該携帯電話機９０の移動機特性ナンバーと、"１"〜"５"までの各移動機特性についてロケーションエリアＩＤと交換機ＩＤとの対応関係を示したロケーションエリア管理テーブル５０１ｂとを交換ネットワーク７０および基地局８０を介して送信する（ステップＳ１０４）。
【０１４６】
そして、携帯電話機９０は、受信した当該携帯電話機９０の移動機特性ナンバーを移動機特性ナンバー格納領域９０８ａに、受信したロケーションエリア管理テーブル５０１ｂをロケーションエリアデータ格納領域９７０ａにそれぞれ格納する。
【０１４７】
次に、図２７は、本変形例において、携帯電話機９０のＣＰＵ９０９により実行される位置登録処理の動作を説明するフローチャートである。同図に示されるように、まず、ＣＰＵ９０９は、無線通信部９０１において復号された制御信号に含まれている交換機ＩＤを取得する（ステップＳ８０１）。次いで、ＣＰＵ９０９は、移動機特性ナンバー格納領域９０８ａに格納されている自機の移動機特性ナンバーを取得する（ステップＳ８０２）。
【０１４８】
そして、ＣＰＵ９０９は、交換機ＩＤと自機の移動機特性ナンバーとに従ってロケーションエリアデータ格納領域９７０ａに格納されているロケーションエリア管理テーブル５０１ｂを参照し、当該携帯電話機９０の在圏しているロケーションエリアＩＤを取得する（ステップＳ８０３）。
【０１４９】
以降、同図に示すステップＳ８０４〜Ｓ８０９の処理は、上記第１実施形態における位置登録処理（図１９参照）のステップＳ４０４〜Ｓ４０９の処理と同様であるので説明を省略する。
【０１５０】
このような制御構成であっても、上記第２実施形態と同様の効果を奏する。また、携帯電話機９０が各移動機特性についてのロケーションエリアＩＤと交換機ＩＤとの対応関係を把握しているので、例えば、上記変形例１で述べたように、時間帯などに応じて当該携帯電話機９０の移動機特性ナンバーが変更される場合などに特に有効である。
【０１５１】
＜変形例３＞
上記第１および第２実施形態では、利用者契約情報に関するセキュリティを確保するためにイントラネット２０を用いる構成とした。しかしながら、入力端末１０および管理サーバ５０が認証機能や暗号化通信機能を備えていれば、イントラネット２０の代わりにインターネットなどのオープンネットワークを利用してもよいことは勿論である。また、ＰＳＴＮ（Public Switched Telephone Network）やＩＳＤＮ（Integrated Services Digital Network）などを介して入力端末１０から管理サーバ５０へ利用者契約情報を送信する構成としてもよい。また、入力端末１０はファクシミリであってもよい。この場合、移動通信網３０内に設けられた管理センタにおいて、ファクシミリの内容をＯＣＲ（Optical Character Reader）機能により電子データ化し、管理サーバ５０に送信する構成であればよい。
【０１５２】
＜変形例４＞
上記第１および第２実施形態では、サービス店に設置された入力端末１０から移動通信網３０内の管理サーバ５０に移動機特性ナンバーを含む利用者契約情報が送信される構成とした。しかしながら、例えば、パケット通信を利用して、携帯電話機９０から管理サーバ５０に利用者契約情報が送信される構成であってもよい。
【０１５３】
この場合、ユーザは、基本料金割引サービスの利用契約を自分の所持する携帯電話機９０を介して管理サーバ５０との間で行うこととなる。このため、管理サーバ５０は、基本料金割引サービスの利用申し込み用のＨＴＭＬ（HyperText Markup Language）ファイルデータをメモリ５０１に有する。また、携帯電話機９０は、ブラウザ機能を有する。そして、携帯電話機９０は、ブラウザ機能を利用して管理サーバ５０からＨＴＭＬファイルデータをダウンロードし、サービスの利用申し込み画面を液晶表示パネルに表示する。この利用申し込み画面の表示内容に従って、ユーザが行動範囲やよく利用する移動手段、携帯電話機９０の着信頻度、利用時間帯などの情報を入力することにより、これらの入力情報が利用者契約情報として管理サーバ５０に送信される。
【０１５４】
＜変形例５＞
上記第１および第２実施形態では、この発明の位置登録制御方法を基本料金割引サービスの一環として運用する場合について説明した。しかしながら、その他の運用形態も考えられる。
【０１５５】
例えば、携帯電話機９０の通話サービスやパケット通信サービスの加入契約手続に際し、サービス事業者は、ユーザの行動範囲や、ユーザがよく利用する移動手段、携帯電話機９０の着信頻度、利用時間帯などの情報をアンケートとしてユーザから聴取する。そして、このアンケート結果からサービス事業者が独自に当該ユーザの所有する携帯電話機９０の移動機特性を決定し、移動通信網３０におけるトラフィックを低減するために活用する運用形態であってもよい。
【０１５６】
この場合、通話サービスやパケット通信サービスの加入契約情報とともにアンケート結果に基づいて決定された移動機特性ナンバーがサービス店の店員によって入力端末１０に入力される。そして、これらの加入契約情報および移動機特性ナンバーが入力端末１０からイントラネット２０を介して移動通信網３０内の管理サーバ５０へ送信される。
【０１５７】
＜変形例６＞
上記第１および第２実施形態では、通信端末として携帯電話機９０を用いた場合について説明した。しかしながら本発明は、例えば、移動通信網３０を介してデータ通信を行うことが可能なＰＤＡ（Personal Digital Assistant）やモバイルコンピュータなどに対しても適用可能である。また、本発明は、例えば、ＰＤＣ（Personal Digital Cellular）方式の移動通信システムや、ＰＨＳ（Personal Handyphone System：登録商標）の移動通信システムなどに対して適用可能である。
【図面の簡単な説明】
【０１５８】
【図１】この発明の第１実施形態に係る移動通信システムの構成を例示するブロック図である。
【図２】同実施形態に係る移動機特性の内容を説明するための図である。
【図３】同実施形態に係る移動機特性ナンバーが"１"の場合におけるロケーションエリアの区分を例示する模式図である。
【図４】同実施形態に係る移動機特性ナンバーが"２"の場合におけるロケーションエリアの区分を例示する模式図である。
【図５】同実施形態に係る移動機特性ナンバーが"３"の場合におけるロケーションエリアの区分を例示する模式図である。
【図６】同実施形態に係る移動機特性ナンバーが"４"の場合におけるロケーションエリアの区分を例示する模式図である。
【図７】同実施形態に係る移動機特性ナンバーが"５"の場合におけるロケーションエリアの区分を例示する模式図である。
【図８】同実施形態に係る管理サーバのハードウェア構成を例示するブロック図である。
【図９】同実施形態に係る管理サーバにおいて、メモリ内の移動機特性テーブルのデータ構成を例示する図である。
【図１０】同実施形態に係る管理サーバにおいて、メモリ内のロケーションエリア管理テーブルのデータ構成を例示する図である。
【図１１】同実施形態に係るＬＲにおいて、ホームメモリの登録内容を例示する図である。
【図１２】同実施形態に係る交換機のハードウェア構成を例示するブロック図である。
【図１３】同実施形態に係る交換機において、メモリ内の交換機ＩＤ格納領域およびロケーションエリアＩＤ格納領域のデータ構成を例示する図である。
【図１４】同実施形態に係る基地局のハードウェア構成を例示するブロック図である。
【図１５】同実施形態に係る携帯電話機のハードウェア構成を例示するブロック図である。
【図１６】同実施形態に係る管理サーバにおいて、ＣＰＵにより実行される契約情報受信処理の動作を説明するフローチャートである。
【図１７】同実施形態に係る管理サーバにおいて、ＣＰＵにより実行されるロケーションエリアＩＤ送信処理の動作を説明するフローチャートである。
【図１８】同実施形態に係る基地局において、ＣＰＵにより実行される制御信号送信処理の動作を説明するフローチャートである。
【図１９】同実施形態に係る携帯電話機において、ＣＰＵにより実行される位置登録処理の動作を説明するフローチャートである。
【図２０】同実施形態に係る基地局において、ＣＰＵにより実行される制御信号受信処理の動作を説明するフローチャートである。
【図２１】同実施形態に係る交換機において、ＣＰＵにより実行される着呼処理の動作を説明するフローチャートである。
【図２２】この発明の第２実施形態に係る携帯電話機のハードウェア構成を例示するブロック図である。
【図２３】同実施形態に係る携帯電話機において、ロケーションエリアデータ格納領域に格納されるロケーションエリアテーブルのデータ構成を例示する図である。
【図２４】同実施形態に係る携帯電話機において、ＣＰＵにより実行される位置登録処理の動作を説明するフローチャートである。
【図２５】変形例１に係る時間帯管理テーブルのデータ構成を例示する図である。
【図２６】変形例２に係る携帯電話機のハードウェア構成を例示するブロック図である。
【図２７】変形例２に係る携帯電話機において、ＣＰＵにより実行される位置登録処理の動作を説明するフローチャートである。
【符号の説明】
【０１５９】
１……移動通信システム、２……線路、１０……入力端末、２０……イントラネット、３０……移動通信網、４０……関門交換機、５０……管理サーバ、６０……ロケーションレジスタ（ＬＲ）、６０ａ……ホームメモリ、７０……交換ネットワーク、７１……交換機、８０……基地局、９０……携帯電話機、５０１……メモリ、５０１ａ……移動機特性テーブル、５０１ｂ……ロケーションエリア管理テーブル、５０２……通信インタフェース、５０３……評価用ＤＢ、５０４……ＣＰＵ、５０５……バス、７１１……メモリ、７１１ａ……交換機ＩＤ格納領域、７１１ｂ……ロケーションエリアＩＤ格納領域、７１２……通信インタフェース、７１３……ＣＰＵ、７１４……バス、８０１……メモリ、８０２……通信インタフェース、８０３……無線通信部、８０３ａ……アンテナ、８０４……ＣＰＵ、８０５……バス、９０１……無線通信部、９０１ａ……アンテナ、９０２……操作部、９０３……通話処理部、９０４……表示部、９０５……記憶部、９０６……ＲＯＭ、９０７……ＲＡＭ、９０８……不揮発性メモリ、９０８ａ……移動機特性ナンバー格納領域、９０８ｂ……在圏エリアＩＤ格納領域、９０８ｃ……移動機ＩＤ格納領域、９０９……ＣＰＵ、９１０……バス、９５０，９７０……不揮発性メモリ、９５０ａ，９７０ａ……ロケーションエリアデータ格納領域、９５１……ロケーションエリアテーブル、９６０……時間帯管理テーブル。
【図１】
2005269682.tif 000003
【図２】
2005269682.tif 000004
【図３】
2005269682.tif 000005
【図４】
2005269682.tif 000006
【図５】
2005269682.tif 000007
【図６】
2005269682.tif 000008
【図７】
2005269682.tif 000009
【図８】
2005269682.tif 000010
【図９】
2005269682.tif 000011
【図１０】
2005269682.tif 000012
【図１１】
2005269682.tif 000013
【図１２】
2005269682.tif 000014
【図１３】
2005269682.tif 000015
【図１４】
2005269682.tif 000016
【図１５】
2005269682.tif 000017
【図１６】
2005269682.tif 000018
【図１７】
2005269682.tif 000019
【図１８】
2005269682.tif 000020
【図１９】
2005269682.tif 000021
【図２０】
2005269682.tif 000022
【図２１】
2005269682.tif 000023
【図２２】
2005269682.tif 000024
【図２３】
2005269682.tif 000025
【図２４】
2005269682.tif 000026
【図２５】
2005269682.tif 000027
【図２６】
2005269682.tif 000028
【図２７】
2005269682.tif 000029